【手続補正書】
【提出日】平成16年6月24日(2004.6.24)
【手続補正１】
【補正対象書類名】明細書
【補正対象項目名】請求項１
【補正方法】変更
【補正の内容】
【請求項１】
アルコールを基礎とするフルオロアルキル官能性オルガノシロキサン含有組成物において、０〜１２０℃の範囲内の温度で、０．５〜２４時間に亘り、かつ水とともに一塩基性もしくは多塩基性の弱酸または弱塩基あるいは一塩基性もしくは多塩基性の弱酸および弱塩基あるいは酸性もしくは塩基性の塩を含有するアルコール性媒体中に良好に混和させながら、一般式Ｉ
Ｒ１−Ｙｍ−（ＣＨ２）２ＳｉＨｘ（Ｒ２）ｙ（ＯＲ）３−ｘ−ｙ      （Ｉ）
〔式中、Ｒ１は、Ｃ原子１〜９個を有するモノフッ素化アルキル基、オリゴフッ素化アルキル基もしくは過フッ素化アルキル基を表すかまたはモノフッ素化アリール基、オリゴフッ素化アリール基もしくは過フッ素化アリール基を表し、Ｙは、ＣＨ２−基、Ｏ−基、Ｓ−基または直接結合を表し、Ｒ２は、Ｃ原子１〜８個を有する線状、分枝鎖状もしくは環式アルキル基を表すかまたはアリール基を表し、Ｒは、Ｃ原子１〜８個を有する線状、分枝鎖状もしくは環式アルキル基を表すかまたはアリール基を表し、ｍは、０または１であり、ｘは、０、１または２であり、ｙは、０、１または２であり、但し、（ｘ＋ｙ）≦２である〕で示される少なくとも１個のフルオロアルキル官能性オルガノシランの意図された加水分解によって得られ、この場合、使用された水および使用されたアルコキシシランは、２〜５００：１のモル比であることを特徴とする、アルコールを基礎とするフルオロアルキル官能性オルガノシロキサン含有組成物。
【手続補正２】
【補正対象書類名】明細書
【補正対象項目名】請求項７
【補正方法】変更
【補正の内容】
【請求項７】
請求項１から６までのいずれか１項に記載のフルオロアルキル官能性オルガノシロキサン含有組成物を製造するための方法において、一般式Ｉ
Ｒ１−Ｙｍ−（ＣＨ２）２ＳｉＨｘ（Ｒ２）ｙ（ＯＲ）３−ｘ−ｙ      （Ｉ）
〔式中、Ｒ１は、Ｃ原子１〜９個を有するモノフッ素化アルキル基、オリゴフッ素化アルキル基もしくは過フッ素化アルキル基を表すかまたはモノフッ素化アリール基、オリゴフッ素化アリール基もしくは過フッ素化アリール基を表し、
Ｙは、ＣＨ２−基、Ｏ−基、Ｓ−基または直接結合を表し、Ｒ２は、Ｃ原子１〜８個を有する線状、分枝鎖状もしくは環式アルキル基を表すかまたはアリール基を表し、Ｒは、Ｃ原子１〜８個を有する線状、分枝鎖状もしくは環式アルキル基を表すかまたはアリール基を表し、ｍは、０または１であり、ｘは、０、１または２であり、ｙは、０、１または２であり、但し、（ｘ＋ｙ）≦２である〕で示される少なくとも１個のフルオロアルキル官能性オルガノシランを、水ともに一塩基性もしくは多塩基性の弱酸または弱塩基あるいは一塩基性もしくは多塩基性の弱酸および弱塩基あるいは酸性もしくは塩基性の塩を含有するアルコール性媒体中に良好に混和させながら、０〜１２０℃の範囲内の温度で、０．５〜２４時間に亘って意図的に加水分解し、この場合、水およびアルコキシシランは、２〜５００：１のモル比で使用することを特徴とする、請求項１から６までのいずれか１項に記載のフルオロアルキル官能性オルガノシロキサン含有組成物の製造法。
【手続補正３】
【補正対象書類名】明細書
【補正対象項目名】請求項１５
【補正方法】変更
【補正の内容】
【請求項１５】
プラスチック、金属、鉱物性建築資材の表面を同時に疎水性化および疎油性化し並びに汚れおよび色素を寄せ付けない仕上げ加工、建造物および前面の保護、ガラス繊維の被覆、充填剤および顔料のシラン化、ポリマー分散液およびエマルジョンのレオロジー特性の改善のため、編織布、皮革、セルロース生成物および澱粉生成物を疎水性化および疎油性化し並びに汚れおよび色素を寄せ付けない仕上げ加工のため、離型剤、架橋剤、付着助剤並びに染料および塗料用の添加剤としての請求項１から１４までのいずれか１項に記載のアルコールを基礎とするフルオロアルキル官能性オルガノシラン含有組成物の使用。
【手続補正４】
【補正対象書類名】明細書
【補正対象項目名】０００８
【補正方法】変更
【補正の内容】
【０００８】
【課題を解決するための手段】
前記課題は、本発明によれば、０〜１２０℃の範囲内の温度で、０．５〜２４時間に亘り、かつ水ともに一塩基性もしくは多塩基性の弱酸または弱塩基あるいは一塩基性もしくは多塩基性の弱酸および弱塩基あるいは酸性もしくは塩基性の塩を含有するアルコール性媒体中に良好に混和させながら、一般式Ｉ
Ｒ１−Ｙｍ−（ＣＨ２）２ＳｉＨｘ（Ｒ２）ｙ（ＯＲ）３−ｘ−ｙ      （Ｉ）
〔式中、Ｒ１は、Ｃ原子１〜９個を有するモノフッ素化アルキル基、オリゴフッ素化アルキル基もしくは過フッ素化アルキル基を表すかまたはモノフッ素化アリール基、オリゴフッ素化アリール基もしくは過フッ素化アリール基を表し、
Ｙは、ＣＨ２−基、Ｏ−基、Ｓ−基または直接結合を表し、Ｒ２は、Ｃ原子１〜８個を有する線状、分枝鎖状もしくは環式アルキル基を表すかまたはアリール基を表し、Ｒは、Ｃ原子１〜８個を有する線状、分枝鎖状もしくは環式アルキル基を表すかまたはアリール基を表し、ｍは、０または１であり、ｘは、０、１または２であり、ｙは、０、１または２であり、但し、（ｘ＋ｙ）≦２である〕で示される少なくとも１個のフルオロアルキル官能性オルガノシランの意図された加水分解によって得られ、この場合、使用された水および使用されたアルコキシシランは、２〜５００：１のモル比であることによって特徴付けられるアルコールを基礎とするフルオロアルキル官能性オルガノシロキサン含有組成物によって解決される。
【手続補正５】
【補正対象書類名】明細書
【補正対象項目名】０００９
【補正方法】変更
【補正の内容】
【０００９】
驚異的なことに、０〜１２０℃の範囲内の温度で、０．５〜２４時間に亘り、かつ水とともに一塩基性もしくは多塩基性の弱酸または弱塩基あるいは一塩基性もしくは多塩基性の弱酸および弱塩基あるいは酸性もしくは塩基性の塩を含有するアルコール性媒体中に良好に混和させながら、一般式Ｉ
Ｒ１−Ｙｍ−（ＣＨ２）２ＳｉＨｘ（Ｒ２）ｙ（ＯＲ）３−ｘ−ｙ      （Ｉ）
〔式中、Ｒ１は、Ｃ原子１〜９個を有するモノフッ素化アルキル基、オリゴフッ素化アルキル基もしくは過フッ素化アルキル基を表すかまたはモノフッ素化アリール基、オリゴフッ素化アリール基もしくは過フッ素化アリール基を表し、Ｙは、ＣＨ２−基、Ｏ−基、Ｓ−基または直接結合を表し、Ｒ２は、Ｃ原子１〜８個を有する線状、分枝鎖状もしくは環式アルキル基を表すかまたはアリール基を表し、Ｒは、Ｃ原子１〜８個を有する線状、分枝鎖状もしくは環式アルキル基を表すかまたはアリール基を表し、ｍは、０または１であり、ｘは、０、１または２であり、ｙは、０、１または２であり、但し、（ｘ＋ｙ）≦２である〕で示される少なくとも１個のフルオロアルキル官能性オルガノシランを意図的に加水分解し、この場合、水および式Ｉに記載のアルコキシシランを２〜５００：１のモル比で使用する場合に、簡単かつ経済的な方法で塩素を含有せず、均一で清澄でかつ数カ月に亘って安定性の溶液として得られるような、Ｓｉ−結合したフルオロアルキル官能基を有するアルコールを基礎とするオルガノシラン含有組成物が見出された。本発明による組成物は、更に、簡単な方法で支持体表面を同時に疎水性化および疎油性化する卓越した作用を伴って使用することができる。
【手続補正６】
【補正対象書類名】明細書
【補正対象項目名】００１０
【補正方法】変更
【補正の内容】
【００１０】
従って、本発明の対象は、アルコールを基礎とするフルオロアルキル官能性オルガノシラン含有組成物であり、該組成物は、０〜１２０℃の範囲内の温度で、０．５〜２４時間に亘り、かつ水とともに一塩基性もしくは多塩基性の弱酸または弱塩基あるいは一塩基性もしくは多塩基性の弱酸および弱塩基あるいは酸性もしくは塩基性の塩を含有するアルコール性媒体中に良好に混和させながら、この場合、使用された水および使用されたアルコキシシランは、２〜５００：１のモル比であるような一般式Ｉ
Ｒ１−Ｙｍ−（ＣＨ２）２ＳｉＨｘ（Ｒ２）ｙ（ＯＲ）３−ｘ−ｙ      （Ｉ）
〔式中、Ｒ１は、Ｃ原子１〜９個を有するモノフッ素化アルキル基、オリゴフッ素化アルキル基もしくは過フッ素化アルキル基を表すかまたはモノフッ素化アリール基、オリゴフッ素化アリール基もしくは過フッ素化アリール基を表し、Ｙは、ＣＨ２−基、Ｏ−基、Ｓ−基または直接結合を表し、Ｒ２は、Ｃ原子１〜８個を有する線状、分枝鎖状もしくは環式アルキル基を表すかまたはアリール基を表し、Ｒは、Ｃ原子１〜８個を有する線状、分枝鎖状もしくは環式アルキル基を表すかまたはアリール基を表し、ｍは、０または１であり、ｘは、０、１または２であり、ｙは、０、１または２であり、但し、（ｘ＋ｙ）≦２である〕で示される少なくとも１個のフルオロアルキル官能性オルガノシランの意図的な加水分解によって入手される。
【手続補正７】
【補正対象書類名】明細書
【補正対象項目名】００１２
【補正方法】変更
【補正の内容】
【００１２】
更に、本発明の対象は、フルオロアルキル官能性オルガノシロキサン含有組成物の製造法であり、この方法は、一般式Ｉ
Ｒ１−Ｙｍ−（ＣＨ２）２ＳｉＨｘ（Ｒ２）ｙ（ＯＲ）３−ｘ−ｙ      （Ｉ）
〔式中、Ｒ１は、Ｃ原子１〜９個を有するモノフッ素化アルキル基、オリゴフッ素化アルキル基もしくは過フッ素化アルキル基を表すかまたはモノフッ素化アリール基、オリゴフッ素化アリール基もしくは過フッ素化アリール基を表し、Ｙは、ＣＨ２−基、Ｏ−基、Ｓ−基または直接結合を表し、Ｒ２は、Ｃ原子１〜８個を有する線状、分枝鎖状もしくは環式アルキル基を表すかまたはアリール基を表し、Ｒは、Ｃ原子１〜８個を有する線状、分枝鎖状もしくは環式アルキル基を表すかまたはアリール基を表し、ｍは、０または１であり、ｘは、０、１または２であり、ｙは、０、１または２であり、但し、（ｘ＋ｙ）≦２である〕で示される少なくとも１個のフルオロアルキル官能性オルガノシランを、水とともに一塩基性もしくは多塩基性の弱酸または弱塩基あるいは一塩基性もしくは多塩基性の弱酸および弱塩基あるいは酸性もしくは塩基性の塩を含有するアルコール性媒体中に良好に混和させながら、０〜１２０℃の範囲内の温度で、０．５〜２４時間、有利に１〜１２時間、特に有利に２〜６時間に亘り、意図的に加水分解させ、この場合、水およびアルコキシシランは、２〜５００：１のモル比で使用されることによって特徴付けられる。